(57)【要約】【課題】遊技機の電飾の消費電力を、遊技中においても削減する。【解決手段】予め定められた節電モードにおいて、読み出した前記ランプデータの最後のデータが、電飾装置に設けられた複数の発光素子を全部消灯させるものであるとき、最後のデータ以外のデータよる発光素子の点灯時間を短縮するためのタイマー短縮フラグをセットする。前記タイマー短縮フラグがオンのときに、最後のデータ以外のデータよる発光素子の点灯時間を短縮する。点灯時間が短くなることにより、最後のデータによる消灯時間が長くなり、この結果、発光素子の消費電力を削減することができる。【選択図】図５
2014104006.tif 000002
【特許請求の範囲】
【請求項１】
遊技に関する処理を行うメイン基板と、前記メイン基板からのコマンドに基づき演出に関する処理を行うサブ基板と、複数の発光素子を含む電飾装置と、前記発光素子の点灯制御を行う電飾制御基板とを備える遊技機において、
前記サブ基板は、前記コマンドに対応して、前記複数の発光素子それぞれの点灯状態及び当該点灯状態の持続時間を示す点灯時間を含むひとつ以上のデータ（以下「非最後のデータ」と表記する）と、前記点灯状態を含み、最後に実行される最後のデータとを含み、前記発光素子の点灯を制御するためのランプデータを予め記憶し、
前記サブ基板は、
前記メイン基板からの前記コマンドに基づき対応する前記ランプデータを読み出し、
予め定められた節電モードにおいて、読み出した前記ランプデータの前記最後のデータによる前記複数の発光素子の点灯割合が予め定められた閾値より小さいときに、前記点灯時間を短縮するためのタイマー短縮フラグをオンにする点灯区間短縮処理を行い、
読み出した前記ランプデータ及び前記タイマー短縮フラグを前記電飾制御基板へ送信し、
前記電飾制御基板は、
前記サブ基板から前記ランプデータ及び前記タイマー短縮フラグを受け、
前記タイマー短縮フラグがオンのときに、前記ランプデータの前記非最後のデータの前記点灯時間を短縮し、
前記ランプデータ及び当該短縮された前記点灯時間に基づき前記発光素子を点灯制御し、
前記ランプデータの前記最後のデータに基づき前記発光素子を点灯制御するとともに、この状態を前記ランプデータを次に受けるまで維持することを特徴とする遊技機。
【請求項２】
前記サブ基板は、前記点灯区間短縮処理において、前記ランプデータの前記最後のデータにより前記複数の発光素子の全てが消灯するときに、前記タイマー短縮フラグをセットすることを特徴とする請求項１記載の遊技機。
【請求項３】
前記ランプデータは、ひとつ以上の前記非最後のデータを繰り返し実行するＬＯＯＰデータを含み、
前記サブ基板は、前記点灯区間短縮処理において、前記ＬＯＯＰデータの繰り返し回数に制限がないときに、前記タイマー短縮フラグをセットしないことを特徴とする請求項１又は請求項２記載の遊技機。
【発明の詳細な説明】
【技術分野】
【０００１】
本発明は、電飾装置を備えるスロットマシンやパチンコ機等の遊技機に関するものである。
【背景技術】
【０００２】
スロットマシン等の遊技機にはメダルの投入口が設けられており、遊技者は所定の枚数のメダルを投入してゲームを楽しむことができる。遊技に必要なメダルは、遊技ホール内に設けられたメダル貸機等で借りることができ、所望の遊技機のメダル投入口に投入することによりゲームを開始することができる。
【０００３】
従来の遊技機の動作は次のようなものであった。
先ず、スタートスイッチが操作されることにより、スタートスイッチがＯＮとなる。これを受けて遊技機内部の当選判定手段により抽選処理が行われる。ここで所定の役に当選すると当選フラグがセットされる。回転リールの回転が開始する。ストップスイッチが操作されることにより、ストップスイッチがＯＮとなる。そして、対応する回転リールの回転が停止する。全部の回転リールに対応するストップスイッチの操作が行われた後、当選フラグ成立中に当該当選フラグに対応する入賞図柄が有効入賞ライン上に揃ったか否か、すなわち、入賞が確定したか否かが判定される。入賞が確定したと判定された場合、入賞図柄に相当するメダルが払い出される。
【０００４】
抽選処理の評価が例えば外れの場合は所定の図柄が揃わないように設定され（いわゆる蹴飛ばし）、当たりの場合はストップスイッチが所定のタイミングで押下されることなどを条件に所定の図柄が揃うように設定される（いわゆる引き込み）。つまり、抽選処理において当選しているときのみ所定の条件の下で図柄が揃い入賞することにより、メダルが払い出されるが、当選しないときはストップスイッチをどのように操作してもメダルが払い出されることはない。これはメダルの払い出しを一定確率に保つためである。これを実現するため抽選処理において乱数発生器が用いられている。
【０００５】
また、スロットマシンなどの遊技機は、演出表示を行うための発光ダイオード（ＬＥＤ）などの発光素子を含む電飾装置（電飾）を備える。
【先行技術文献】
【特許文献】
【０００６】
【特許文献１】特開2007-301054号公報  連続して同じ演出が選択された場合等には、その演出の音量を下げることによって、省エネを図る。
【特許文献２】特開2008-11906号公報  ボーナスを放出しやすい状態のとき等に、ホッパーエンプティエラーを感知するタイマーを短く設定することにより、ホッパーの空回し状態を短縮でき、省エネにつながる。
【発明の概要】
【発明が解決しようとする課題】
【０００７】
多くの遊技機において、電飾装置の発光色を変化させたりあるいは点滅させることで演出を行っている。電飾装置はさまざまな色で発光する複数の発光素子（ＬＥＤ）を備え、これらが所定のパターンで点滅することにより色鮮やかで人目を引く演出表現を実現している。
【０００８】
ところで、最近は電力の節減が求められていて、営業中のホールも節電に協力する必要がある。そこで、遊技に支障を来さない範囲において、遊技機に節電機能を持たせることが望ましい。特許文献１は音量を下げることにより、特許文献２はホッパーの空回しを短縮することにより、節電を図るものである。
【０００９】
電飾についても節電の実現するために、遊技が行われていないと判定されたとき自動的にパワーセーブモード（低電力モード）に移行し、電飾を消灯あるいは減光することにより消費電力を抑えることが考えられる。
【００１０】
他方、遊技中においては、電飾による演出は遊技状態と密接に関連しているので、消灯により節電を図ることは困難である。例えば、ボーナス中などに代表される、遊技者側に報知する必要のある状態では、仮にパワーセーブモード（低電力モード）においても発光素子を点灯させなければならないから、電飾を完全に消灯してしまうことは問題がある。また、減光するにしてもその程度によっては発光を視認できなくなるおそれがあり、かといってわずかに減光する程度では省エネにならない。
【００１１】
本発明は、遊技中であっても、電飾の報知機能を維持しつつ消費電力を抑制することのできる遊技機を提供することを目的とする。
【課題を解決するための手段】
【００１２】
この発明は、遊技に関する処理を行うメイン基板と、前記メイン基板からのコマンドに基づき演出に関する処理を行うサブ基板と、複数の発光素子を含む電飾装置と、前記発光素子の点灯制御を行う電飾制御基板とを備える遊技機において、
前記サブ基板は、前記コマンドに対応して、前記複数の発光素子それぞれの点灯状態及び当該点灯状態の持続時間を示す点灯時間を含むひとつ以上のデータ（以下「非最後のデータ」と表記する）と、前記点灯状態を含み、最後に実行される最後のデータとを含み、前記発光素子の点灯を制御するためのランプデータを予め記憶し、
前記サブ基板は、
前記メイン基板からの前記コマンドに基づき対応する前記ランプデータを読み出し、
予め定められた節電モードにおいて、読み出した前記ランプデータの前記最後のデータによる前記複数の発光素子の点灯割合が予め定められた閾値より小さいときに、前記点灯時間を短縮するためのタイマー短縮フラグをオンにする点灯区間短縮処理を行い、
読み出した前記ランプデータ及び前記タイマー短縮フラグを前記電飾制御基板へ送信し、
前記電飾制御基板は、
前記サブ基板から前記ランプデータ及び前記タイマー短縮フラグを受け、
前記タイマー短縮フラグがオンのときに、前記ランプデータの前記非最後のデータの前記点灯時間を短縮し、
前記ランプデータ及び当該短縮された前記点灯時間に基づき前記発光素子を点灯制御し、
前記ランプデータの前記最後のデータに基づき前記発光素子を点灯制御するとともに、この状態を前記ランプデータを次に受けるまで維持するものである。
【００１３】
前記サブ基板は、前記点灯区間短縮処理において、前記ランプデータの前記最後のデータにより前記複数の発光素子の全てが消灯するときに、前記タイマー短縮フラグをセットするようにしてもよい。
【００１４】
前記ランプデータは、ひとつ以上の前記非最後のデータを繰り返し実行するＬＯＯＰデータを含み、
前記サブ基板は、前記点灯区間短縮処理において、前記ＬＯＯＰデータの繰り返し回数に制限がないときに、前記タイマー短縮フラグをセットしないようにしてもよい。
【発明の効果】
【００１５】
この発明によれば、予め定められた節電モードにおいて、読み出したランプデータの最後のデータによる複数の発光素子の点灯割合が予め定められた閾値より小さいときに、最後のデータ以外のデータよる発光素子の点灯時間を短縮するためのタイマー短縮フラグをセットし、前記タイマー短縮フラグがオンのときに、最後のデータ以外のデータによる発光素子の点灯時間を短縮するので、前記発光素子の点灯時間が短くなる。この結果、発光素子の消費電力を削減することができる。
【図面の簡単な説明】
【００１６】
【図１】前扉を閉めた状態を示すスロットマシンの正面図である。
【図２】前扉を１８０度開いた状態を示すスロットマシンの正面図である。
【図３】スロットマシンのブロック図である。
【図４】スロットマシンの遊技処理のフローチャートである。
【図５】図５（ａ）は発明の実施の形態の電飾制御系統のブロック図、図５（ｂ９はサブ基板の概要処理フローチャートである。
【図６】発明の実施の形態に係るランプデータの一例である（タイマー短縮フラグがオンになり得るケース）。
【図７】発明の実施の形態に係るランプデータの一例である（タイマー短縮フラグがオンになり得ないケース）。
【図８】発明の実施の形態に係る点灯区間短縮処理のフローチャートである。
【図９】発明の実施の形態に係る点灯区間短縮処理の他のフローチャートである。
【図１０】発明の実施の形態に係るランプデータ実行処理のフローチャートである。
【図１１】ランプデータを実行する処理の説明図（フローチャート）である。
【図１２】発明の実施の形態の動作説明図（タイミングチャート）である。
【図１３】発明の実施の形態に係るタイマー短縮処理を行う装置のブロック図である。
【図１４】発明の実施の形態に係るタイマー短縮処理を行う装置の他のブロック図である。
【図１５】発明の実施の形態に係るタイマー短縮処理を行う装置の他のブロック図である。
【発明を実施するための形態】
【００１７】
図１は前扉を閉めた状態を示すスロットマシンの正面斜視図、図２は前扉を１８０度開いた状態を示すスロットマシンの正面図を示す。
【００１８】
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２の下側には、メダル投入口１３２から投入され、詰まってしまったメダルをスロットマシン１００外に強制的に排出するためのリジェクトボタン１３３が設けられている。
【００１９】
また、前記ゲーム表示部１３１の左下方には、ゲームを開始するためのスタートスイッチ１３４を設けてあり、３つの回胴のそれぞれに対応して３つのストップスイッチ１４０を設けてある。前扉の下端部中央には、メダルの払出し口１３５を設けてある。前記ゲーム表示部１３１の上側には、液晶表示装置ＬＣＤが設けてある。
【００２０】
液晶表示装置ＬＣＤの両側にはアーチランプＡＨが設けてある。アーチランプＡＨは、その内部に設けられた発光素子の点滅を通じて所定の演出を行うものである。また、ゲーム表示部１３１の両側にもアーチランプＡＨ’が設けてある。さらに内側、すなわちゲーム表示部１３１とアーチランプＡＨ’の間にはサイドランプＳＬが設けてある。また、前記ゲーム表示部１３１の下側には、７セグＬＥＤなどを搭載した表示部9Cが設けてある。これらは、遊技機の電飾装置であり、本発明の実施の形態の処理による節電対象となり得るものである。
【００２１】
アーチランプＡＨなどの電飾装置は、その内部に複数の発光素子（発光ダイオード）を備えている。例えば、アーチランプＡＨは３個又は６個、アーチランプＡＨ’は６個、サイドランプＳＬは６個又は１０個の発光素子を備えている。７セグＬＥＤは、それぞれ７つのＬＥＤ（セグメント）を備えている。
【００２２】
スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回胴を含むリール（回胴）ユニット２０３が設置されている。リールユニット２０３は、外周面に複数種類の図柄が配列されている３つの回胴（第１回胴〜第３回胴）を備えている。ゲーム表示部１３１には開口部が設けられていて、それを通して遊技者が前記リールユニット２０３の各回転回胴の図柄を見ることができるようになっている。ホッパ装置１２１の左側には電源部２０５が設けられている。
【００２３】
前記前扉１３０の裏面には、図２に示すように、メダル（コイン）セレクタ１が、前扉１３０の前面に設けられたリジェクトボタン１３３の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００２４】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２５】
図３はスロットマシン１００の機能ブロック図を示す。
この図において電源系統についての表示は省略されている。図示しないが、スロットマシンは商用電源（ＡＣ１００Ｖ）から直流電源（＋５Ｖなど）を発生するための電源部を備える。
【００２６】
スロットマシン１００は、その主要な処理装置としてメイン基板（処理部）１０とこれからコマンドを受けて動作するサブ基板２０とを備える。なお、少なくともメイン基板１０は、外部から接触不能となるようにケース内部に収容され、当該ケースに収納された基板を取り外す際には痕跡が残るように、当該ケースには封印処理が施されている。
【００２７】
メイン基板１０は、遊技者の操作を受けて内部抽選を行ったり、リールの回転・停止やメダルの払い出しなどの処理（遊技処理）を行うためのものである。メイン基板１０は、予め設定されたプログラムに従って制御動作を行うＣＰＵと、前記プログラムを記憶する記憶手段であるＲＯＭおよび処理結果などを一時的に記憶するＲＡＭを含む。
【００２８】
サブ基板２０は、メイン基板１０からコマンド信号を受けて内部抽選の結果を報知したり各種演出を行うためのものである。サブ基板２０は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１０からサブ基板２０への一方のみであり、逆にサブ基板２０からメイン基板１０へコマンド等が出されることはない。
【００２９】
メイン基板１０には、ベットスイッチＢＥＴ、スタートスイッチ１３４，ストップボタン１４０，リールユニット（リール駆動装置を含む）２０３，リール位置検出回路７１、ホッパ駆動部８０、ホッパ８１及びホッパ８１から払い出されたメダルの枚数を数えるためのメダル検出部８２（これら８０〜８２は前述のホッパ装置１２１を構成する）が接続されている。サブ基板２０には液晶表示装置の制御用の液晶制御基板２００、スピーカ基板２０１、ＬＥＤ基板２０２などの周辺基板（ローカル基板）が接続されている。
【００３０】
メイン基板１０には、さらに、メダルセレクタ１のメダルセンサＳ１及びＳ２が接続されている。
【００３１】
メダルセレクタ１には、メダルを計数するためのメダルセンサＳ１及びＳ２が設けられている。メダルセンサＳ１及びＳ２は、メダルセレクタ１に設けられた図示しないメダル通路の下流側（出口近傍）に設けられている（メダル通路の上流側はメダル投入口１３２に連通している）。２つのメダルセンサＳ１とＳ２は、メダルの進行方向に沿って所定間隔を空けて並べて設けられている。メダルセンサＳ１、Ｓ２は、例えば、互いに対向した発光部と受光部とを有して断面コ字状に形成され、その検出光軸をメダル通路内に上方から臨ませて位置するフォトインタラプタである。各フォトインタラプタにより、途中で阻止されずに送られてきたメダルの通過が検出される。なお、フォトインタラプタを２つ隣接させたのは、メダル枚数を検出するだけでなく、メダルの通過が正常か否かを監視するためである。すなわち、フォトインタラプタを２つ隣接させて設けることにより、メダルの通過速度や通過方向を検出することができ、これによりメダル枚数だけでなく、逆方向に移動する不正行為を感知することができる。
【００３２】
ホッパ駆動部８０は、ホッパ８１を回転駆動して、メイン基板１０によって指示された払出数のメダルを払い出す動作を行う。遊技機は、メダルを１枚払い出す毎に作動するメダル検出部８２を備えており、メイン基板１０は、メダル検出部８２からの入力信号に基づいてホッパ８１から実際に払い出されたメダルの数を管理することができる。
【００３３】
投入受付部１０５０は、メダルセレクタ１のメダルセンサＳ１とＳ２の出力を受け、遊技毎にメダルの投入を受け付けて、規定投入数に相当するメダルが投入されたことに基づいて、スタートスイッチ１３４に対する第１リール〜第３リールの回転開始操作を許可する処理を行う。なお、スタートスイッチ１３４の押下操作が、第１リール〜第３リールの回転を開始させる契機となっているとともに、内部抽選を実行する契機となっている。また、遊技状態に応じて規定投入数を設定し、通常状態およびボーナス成立状態では規定投入数を３枚に設定し、ボーナス状態では規定投入数を１枚に設定する。
【００３４】
メダルが投入されると、遊技状態に応じた規定投入数を限度として、投入されたメダルを投入状態に設定する。あるいは、遊技機にメダルがクレジットされた状態で、ベットスイッチＢＥＴが押下されると、遊技状態に応じた規定投入数を限度して、クレジットされたメダルを投入状態に設定する。メダルの投入を受け付けるかどうかは、メイン基板１０が制御する。メダルの投入を受け付ける状態になっていないときは（許可されていないときは）、メダルを投入してもメダルセンサＳ１、Ｓ２でカウントされず、そのまま返却される。同様に、メイン基板１０はベットスイッチＢＥＴの有効／無効を制御する。ベットスイッチＢＥＴが有効になっていないときは（許可されていないときは）、ベットスイッチＢＥＴを押下しても、それは無視される。
【００３５】
メイン基板１０は、乱数発生手段１１００を内蔵する。乱数発生手段１１００は、抽選用の乱数値を発生させる手段である。乱数値は、例えば、インクリメントカウンタ（所定のカウント範囲を循環するように数値をカウントするカウンタ）のカウント値に基づいて発生させることができる。なお本実施形態において「乱数値」には、数学的な意味でランダムに発生する値のみならず、その発生自体は規則的であっても、その取得タイミング等が不規則であるために実質的に乱数として機能しうる値も含まれる。
【００３６】
内部抽選手段１２００は、遊技者がスタートスイッチ１３４からのスタート信号に基づいて、役の当否を決定する内部抽選を行う。すなわち、メイン基板１０のメモリ（図示せず）に記憶されている抽選テーブル（図示せず）を選択する抽選テーブル選択処理、乱数発生手段１０５０から得た乱数の当選を判定する乱数判定処理、当選の判定結果で大当たりなどに当選したときにその旨のフラグを設定する抽選フラグ設定処理などを行う。
【００３７】
抽選テーブル選択処理では、図示しない記憶手段（ＲＯＭ）に格納されている複数の抽選テーブル（図示せず）のうち、いずれの抽選テーブルを用いて内部抽選を行うかを決定する。抽選テーブルでは、複数の乱数値（例えば、０〜６５５３５の６５５３６個の乱数値）のそれぞれに対して、リプレイ、小役（ベル、チェリー）、レギュラーボーナス（ＲＢ：ボーナス）、およびビッグボーナス（ＢＢ：ボーナス）などの各種の役が対応づけられている。また、遊技状態として、通常状態、ボーナス成立状態、およびボーナス状態が設定可能とされ、さらにリプレイの抽選状態として、リプレイ無抽選状態、リプレイ低確率状態、リプレイ高確率状態が設定可能とされる。
【００３８】
乱数判定処理では、スタートスイッチ１３４からのスタート信号に基づいて、遊技毎に前記乱数発生手段（図示せず）から乱数値（抽選用乱数）を取得し、取得した乱数値について前記抽選テーブルを参照して役に当選したか否かを判定する。
【００３９】
抽選フラグ設定処理では、乱数判定処理の結果に基づいて、当選したと判定された役の抽選フラグを非当選状態（第１のフラグ状態、オフ状態）から当選状態（第２のフラグ状態、オン状態）に設定する。２種類以上の役が重複して当選した場合には、重複して当選した２種類以上の役のそれぞれに対応する抽選フラグが当選状態に設定される。抽選フラグの設定情報は、記憶手段（ＲＡＭ）に格納される。
【００４０】
入賞するまで次回以降の遊技に当選状態を持ち越し可能な抽選フラグ（持越可能フラグ）と、入賞の如何に関わらず次回以降の遊技に当選状態を持ち越さずに非当選状態にリセットされる抽選フラグ（持越不可フラグ）とが用意されていることがある。この場合、前者の持越可能フラグが対応づけられる役としては、レギュラーボーナス（ＲＢ）およびビッグボーナス（ＢＢ）があり、それ以外の役（例えば、小役、リプレイ）は後者の持越不可フラグに対応づけられている。すなわち抽選フラグ設定処理では、内部抽選でレギュラーボーナスに当選すると、レギュラーボーナスの抽選フラグの当選状態を、レギュラーボーナスが入賞するまで持ち越す処理を行い、内部抽選でビッグボーナスに当選すると、ビッグボーナスの抽選フラグの当選状態を、ビッグボーナスが入賞するまで持ち越す処理を行う。このときメイン基板１０は、内部抽選機能により、レギュラーボーナスやビッグボーナスの抽選フラグの当選状態が持ち越されている遊技でも、レギュラーボーナスおよびビッグボーナス以外の役（小役およびリプレイ）についての当否を決定する内部抽選を行っている。すなわち抽選フラグ設定処理では、レギュラーボーナスの抽選フラグの当選状態が持ち越されている遊技において、内部抽選で小役あるいはリプレイが当選した場合には、既に当選しているレギュラーボーナスの抽選フラグと内部抽選で当選した小役あるいはリプレイの抽選フラグとからなる２種類以上の役に対応する抽選フラグを当選状態に設定し、ビッグボーナスの抽選フラグの当選状態が持ち越されている遊技において、内部抽選で小役あるいはリプレイが当選した場合には、既に当選しているビッグボーナスの抽選フラグと内部抽選で当選した小役あるいはリプレイの抽選フラグとからなる２種類以上の役に対応する抽選フラグを当選状態に設定する。
【００４１】
リプレイ処理手段１６００は、所定条件下で内部抽選におけるリプレイの当選確率を変動させる制御を行うことがある。リプレイ処理手段１６００については、後に再度説明を加える。リプレイの抽選状態として、リプレイが内部抽選の対象から除外されるリプレイ無抽選状態、リプレイの当選確率が約１／７．３に設定されるリプレイ低確率状態、およびリプレイの当選確率が約１／６に設定されるリプレイ高確率状態という複数種類の抽選状態を設定可能とされている。リプレイの抽選状態を変化させることにより、内部抽選におけるリプレイの当選確率を変動させる。
【００４２】
リール制御手段１３００は、遊技者がスタートスイッチ１３４の押下操作（回転開始操作）によるスタート信号に基づいて、第１リール〜第３リールをステッピングモータにより回転駆動して、第１リール〜第３リールの回転速度が所定速度（約８０ｒｐｍ：１分間あたり約８０回転となる回転速度）に達した状態において回転中のリールにそれぞれ対応する３つのストップボタン１４０の押下操作（停止操作）を許可する制御を行うとともに、ステッピングモータにより回転駆動されている第１リール〜第３リールを抽選フラグの設定状態（内部抽選の結果）に応じて停止させる制御を行う。
【００４３】
また、リール制御手段１３００は、３つのストップボタン１４０に対する押下操作（停止操作）が許可（有効化）された状態において、遊技者が３つのストップボタン１４０を押下することにより、そのリール停止信号に基づいて、リールユニット２０３のステッピングモータへの駆動パルス（モータ駆動信号）の供給を停止することにより、第１リール〜第３リールの各リールを停止させる制御を行う。
【００４４】
すなわち、リール制御手段１３００は、３つのストップボタン１４０の各ボタンが押下される毎に、第１リール〜第３リールのうち押下されたボタンに対応するリールの停止位置を決定して、決定された停止位置でリールを停止させる制御を行っている。具体的には、記憶手段（ＲＯＭ）に記憶されている停止制御テーブル（図示せず）を参照して３つのストップボタンの押下タイミングや押下順序等（停止操作の態様）に応じた第１リール〜第３リールの停止位置を決定し、決定された停止位置で第１リール〜第３リールを停止させる制御を行う。
【００４５】
ここで停止制御テーブルでは、ストップボタン１４０の作動時点における第１リール〜第３リールの位置（押下検出位置）と、第１リール〜第３リールの実際の停止位置（または押下検出位置からの滑りコマ数）との対応関係が設定されている。抽選フラグの設定状態に応じて、第１リール〜第３リールの停止位置を定めるための停止制御テーブルが用意されることもある。
【００４６】
遊技機では、リールユニット２０３がフォトセンサからなるリールインデックス（図示せず）を備えており、リール制御手段１３００は、リールが１回転する毎にリールインデックスで検出される基準位置信号に基づいて、リールの基準位置（リールインデックスによって検出されるコマ）からの回転角度（ステップモータの回転軸の回転ステップ数）を求めることによって、現在のリールの回転状態を監視することができるようになっている。すなわち、メイン基板１０は、ストップスイッチ１４０の作動時におけるリールの位置を、リールの基準位置からの回転角度を求めることにより得ることができる。
【００４７】
リール制御手段１３００は、いわゆる引き込み処理と蹴飛ばし処理とをリールを停止させる制御として行っている。引き込み処理とは、抽選フラグが当選状態に設定された役に対応する図柄が有効な入賞判定ライン上に停止するように（当選した役を入賞させることができるように）リールを停止させる制御処理である。一方蹴飛ばし処理とは、抽選フラグが非当選状態に設定された役に対応する図柄が有効な入賞判定ライン上に停止しないように（当選していない役を入賞させることができないように）リールを停止させる制御処理である。すなわち本実施形態の遊技機では、上記引き込み処理及び蹴飛ばし処理を実現させるべく、抽選フラグの設定状態、ストップボタン１４０の押下タイミング、押下順序、既に停止しているリールの停止位置（表示図柄の種類）などに応じて各リールの停止位置が変化するように停止制御テーブルが設定されている。このように、メイン基板１０は、抽選フラグが当選状態に設定された役の図柄を入賞の形態で停止可能にし、一方で抽選フラグが非当選状態に設定された役の図柄が入賞の形態で停止しないように第１リール〜第３リールを停止させる制御を行っている。
【００４８】
本実施形態の遊技機では、第１リール〜第３リールが、ストップボタン１４０が押下された時点から１９０ｍｓ以内に、押下されたストップボタンに対応する回転中のリールを停止させる制御状態に設定されている。すなわち回転している各リールの停止位置を決めるための停止制御テーブルでは、ストップボタン１４０の押下時点から各リールが停止するまでに要するコマ数が０コマ〜４コマの範囲（所定の引き込み範囲）で設定されている。
【００４９】
入賞判定手段１４００は、第１リール〜第３リールの停止態様に基づいて、役が入賞したか否かを判定する処理（入賞判定）を行う。具体的には、記憶手段（ＲＯＭ）に記憶されている入賞判定テーブルを参照しながら、第１リール〜第３リールの全てが停止した時点で入賞判定ライン上に表示されている図柄組合せが、予め定められた役の入賞の形態であるか否かを判定する。
【００５０】
入賞判定手段１４００は、その判定結果に基づいて、入賞時処理を実行する。入賞時処理としては、例えば、小役が入賞した場合にはホッパ８１を駆動してメダルの払出制御処理が行われるか、あるいはクレジットの増加され（規定の最大枚数例えば５０枚まで増加され、それを超えた分だけ実際にメダル払い出される）、リプレイが入賞した場合にはリプレイ処理が行われ、ビッグボーナスやレギュラーボーナスが入賞した場合には遊技状態を移行させる遊技状態移行制御処理が行われる。
【００５１】
払出制御手段１５００は、遊技結果に応じたメダルの払い出しに関する払出制御処理を行う。具体的には、小役が入賞した場合に、役毎に予め定められている配当に基づいて遊技におけるメダルの払出数を決定し、決定された払出数に相当するメダルを、ホッパ駆動部８０でホッパ８１を駆動して払い出させる。この際に、ホッパ８１に内蔵される図示しないモータに電流が流れることになる。
【００５２】
メダルのクレジット（内部貯留）が許可されている場合には、ホッパ８１によって実際にメダルの払い出しを行う代わりに、記憶手段（ＲＡＭ）のクレジット記憶領域（図示省略）に記憶されているクレジット数（クレジットされたメダルの数）に対して払出数を加算するクレジット加算処理を行って仮想的にメダルを払い出す処理を行う。
【００５３】
リプレイ処理手段１６００は、リプレイが入賞した場合に、次回の遊技に関して遊技者の所有するメダルの投入を要さずに前回の遊技と同じ準備状態に設定するリプレイ処理（再遊技処理）を行う。リプレイが入賞した場合には、遊技者の手持ちのメダル（クレジットメダルを含む）を使わずに前回の遊技と同じ規定投入数のメダルが自動的に投入状態に設定される自動投入処理が行われ、遊技機が前回の遊技と同じ入賞判定ラインを有効化した状態で次回の遊技における回転開始操作（遊技者によるスタートスイッチ１３４の押下操作）を待機する状態に設定される。
【００５４】
また、メイン基板１０は、通常状態、ボーナス成立状態、およびボーナス状態の間で遊技状態を移行させる制御を行うことがある（遊技状態移行制御機能）。遊技状態の移行条件は、１の条件が定められていてもよいし、複数の条件が定められていてもよい。複数の条件が定められている場合には、複数の条件のうち１の条件が成立したこと、あるいは複数の条件の全てが成立したことに基づいて、遊技状態を他の遊技状態へ移行させることができる。
【００５５】
通常状態は、複数種類の遊技状態の中で初期状態に相当する遊技状態で、通常状態からはボーナス成立状態への移行が可能となっている。ボーナス成立状態は、内部抽選でビッグボーナスあるいはレギュラーボーナスに当選したことを契機として移行する遊技状態である。ボーナス成立状態では、通常状態における内部抽選でビッグボーナスが当選した場合、ビッグボーナスが入賞するまでビッグボーナスに対応する抽選フラグが当選状態に維持され、通常状態における内部抽選でレギュラーボーナスが当選した場合、レギュラーボーナスが入賞するまでレギュラーボーナスに対応する抽選フラグが当選状態に維持される。ボーナス状態では、ボーナス遊技によって払い出されたメダルの合計数により終了条件が成立したか否かを判断し、入賞したボーナスの種類に応じて予め定められた払出上限数を超えるメダルが払い出されると、ボーナス状態を終了させて、遊技状態を通常状態へ復帰させる。
【００５６】
リールユニット２０３は、図示しない３つのリールを備えるが、３つのリールそれぞれにひとつづつステッピングモータが取り付けられている。ステッピングモータは、回転子（ロータ）として歯車状の鉄心あるいは永久磁石を備え、固定子（ステータ）として複数の巻線（コイル）を備え、電流を流す巻線を切り替えることによって回転動作させるものである。すなわち、固定子の巻線に電流を流して磁力を発生させ、回転子を引きつけることで回転するものである。回転軸を指定された角度で停止させることが可能なことから、スロットマシンのリールの回転駆動に使用されている。複数の巻線がひとつの相を構成する。相の数として、例えば、２つ（二相）、４つ（４相）、５つ（５相）のものもある。
【００５７】
ステッピングモータは、各相の巻線への電流の与え方を変えることにより、特性を変えることができる（励磁モードが変わる）。二相型については次の通りである。
【００５８】
・一相励磁
常に巻線一相のみに電流を流す。位置決め精度は良い。
【００５９】
・二相励磁 
二相に電流を流す。一相励磁の約２倍の出力トルクが得られる。位置決め精度は良く、停止したときの静止トルクが大きいため、停止位置を確実に保持できる。
【００６０】
・一−二相励磁 
一相と二相を交互に切り替えて電流を流す。一相励磁・二相励磁の場合のステップ角度の半分にすることができるので、滑らかな回転を得られる。
【００６１】
なお、ステッピングモータを「駆動する」とは、当該モータを上記励磁により回転させることとともに、所望の位置で停止させその位置を保持するために各相を励磁することも含むものとする。
【００６２】
スロットマシンでは、例えば、４相の基本ステップ角度１．４３度のステッピングモータを使用し、パルスの出力方法として一−二相励磁を採用している。
【００６３】
次に、遊技機における遊技処理について図４を参照して説明を加える。
一般的に、遊技機において、メダルの投入（クレジットの投入）に始まり、払い出しが終了するまで（又はクレジット数の増加が終了するまで）が一遊技である。一遊技が終了するまでは次回の遊技に進めないという決まりがある。
【００６４】
先ず、規定枚数のメダルが投入されることでスタートスイッチ１３４が有効になり、図４の処理が開始される。
【００６５】
ステップＳ１において、スタートスイッチ１３４が操作されることにより、スタートスイッチ１３４がＯＮとなる。そして、次のステップＳ２に進む。
【００６６】
ステップＳ２において、メイン基板１０により抽選処理が行われる。そして、次のステップＳ３に進む。
【００６７】
ステップＳ３において、第１リール〜第３リールの回転が開始する。そして、次のステップＳ４に進む。
【００６８】
ステップＳ４において、ストップボタン１４０が操作されることにより、ストップボタン１４０がＯＮとなる。そして、次のステップＳ５に進む。
【００６９】
ステップＳ５において、第１リール〜第３リールのうち押下されたストップボタン１４０に対応するリールについて回転停止処理が行われる。そして、次のステップＳ６に進む。
【００７０】
ステップＳ６において、三個のリールに対応するストップボタン１４０の操作が行われたか否かが判定される。そして、三個のリールに対応する３つのストップボタン１４０すべての操作が行われたと判定された場合、次のステップＳ７に進む。
【００７１】
ステップＳ７において、抽選フラグ成立中に当該抽選フラグに対応する入賞図柄が有効入賞ライン上に揃ったか否か、すなわち、入賞が確定したか否かが判定される。そして、入賞が確定したと判定された場合、次のステップＳ８に進む。なお、入賞が確定しなかったときは、抽選フラグが成立していてもメダルの払い出しは行われない。
【００７２】
ステップＳ８において、入賞図柄に相当するメダルが払い出される。
【００７３】
メダルの投入からステップＳ８の実行完了までが、一遊技である。ステップＳ８の待機処理が終了すると、処理はフローチャートの最初に戻る。言い換えれば、次の遊技が可能な状態になる（次遊技へ移行する）。
【００７４】
図５（ａ）は、発明の実施の形態に係る遊技機の電飾制御系統のブロック図を示す。図中、ＤＳは電飾装置を示すが、これには前述のアーチランプＡＨ、ＡＨ’、サイドランプＳＬ、７セグＬＥＤなどを搭載した表示部９Ｃが含まれる。前述のように、これらには複数の発光素子が設けられている。なお、ＬＥＤ基板２０２と電飾装置ＤＳが一体となっていてもよい。
【００７５】
図５（ｂ）は、発明の実施の形態に係るランプデータ及びタイマー短縮フラグの送信に係る処理の概略フローチャートである。
【００７６】
これらの図に基づき発明の実施の形態に係る遊技機の電飾制御の概要について説明を加える。
【００７７】
サブ基板２０は、メイン基板１０からのコマンドに基づき液晶表示画面の制御や音響発生などの演出に係る処理を行うものであり、電飾制御についても同じである。メイン基板１０からサブ基板２０へ送られるコマンドの内容は公知であるので、その説明は省略する。
【００７８】
サブ基板２０はメイン基板１０からのコマンドを解析し、当該コマンドが電飾制御に関するものであるとき（Ｓ１０）、対応するランプデータを読み出す（Ｓ１１）。ランプデータは電飾装置ＤＳの発光素子の点灯を制御するデータであり、点灯の態様ごとに予め設けられている（サブ基板２０のＲＯＭに記憶されている）。例えば図６や図７に示すようなものである。電飾の演出に係るコマンドを受けたときに、当該コマンドに対応するランプデータが読み出される。データの内容については後述する。
【００７９】
なお、「点灯」とは、単色の発光素子においてこれが発光することであり、多色の発光素子においていずれかの色で発光することである。
【００８０】
読み出したランプデータをＬＥＤ基板２０２へ送る前に、遊技機が節電モードであるかどうか判定する（Ｓ１２）。例えば、サブ基板２０は、節電モード／非節電モードのどちらかであるかを示す信号を受けている。節電モードとなるのは、例えば次のような場合である。
【００８１】
・遊技機に節電スイッチが設けられていて、ホールにおいて当該スイッチがオンになっているとき
【００８２】
・節電時間帯が設定されていて、図示しないタイマーにより現在時刻が当該節電時間帯であると判定されたとき
【００８３】
・メダルが投入されない、スタートスイッチ１３４やベットスイッチＢＥＴが一定時間操作されていないなど遊技がなされていないと判定されとき
【００８４】
節電モードでないときは、そのままランプデータが送信される（Ｓ１５）。
【００８５】
節電モードであるときは、点灯区間短縮処理が行われ（Ｓ１３）、当該処理において所定の条件を満たしたときはランプデータとともにタイマー短縮フラグが送信される（Ｓ１４）。点灯区間短縮処理については後述する。
【００８６】
図６及び図７に示すように、電飾の演出に係るコマンドに対応するランプデータは複数のデータから成り立っている。各データは発光素子の点灯状態のデータと、その点灯時間のデータを含む。ランプデータは、所定の範囲のデータを繰り返し実行することを指示するもの（ＬＯＯＰデータ）も含むことがある。図６及び図７のランプデータはＬＯＯＰデータを含んでいるが、これが存在しないランプデータもある。
【００８７】
点灯状態のデータは、どの発光素子を点灯又は消灯させるかを指定するためのデータであり、例えば、１バイトのデータの各ビットに複数の発光素子をそれぞれ対応させ、「０」を消灯、「１」を点灯のように定義したものである。
【００８８】
点灯時間のデータは、点灯の持続時間を指定するものである。指定の方法として１００ｍｓのように時間を直接指定するやり方と（図６（ａ）、図７（ａ）（ｂ））、所定のタイミング（例えばタイマーの出力間隔）を基準とするやり方（図６（ｂ）、この例では１単位は１０ｍｓになっている）がある。本発明の実施の形態はいずれにも適用できる。
【００８９】
ＬＯＯＰデータは、ループするデータの範囲を示すパラメータと、その繰り返し回数を含むものである。無限ループのときは繰り返し回数の指定がないか、あるいは特定の値（例えば９９９）に設定されている。
【００９０】
図６及び図７は、いずれもＮ個のデータ（Ｎは自然数）を含む例を示す。なお、後述するが、図６は本発明の実施の形態に係るタイマー短縮フラグがセットされるケースを示し、図７はセットされないケースを示す。
【００９１】
図８は、発明の実施の形態に係る点灯区間短縮処理を示すフローチャートである。この処理は図５（ｂ）のＳ１３に相当する。
【００９２】
Ｓ２０：サブ基板２０は、ランプデータを設定する。
図６及び図７に示すひとつのランプデータを読み出し、ＬＥＤ基板２０２へ送るように設定する。
【００９３】
Ｓ２１：サブ基板２０は、節電モードかどうか判定する。
サブ基板２０は、入力された節電モード／非節電モードの判定信号に基づき、この判定を行う。節電モードとなるケースについては前述した。
節電モードと判定されたとき、Ｓ２２乃至Ｓ２５の処理が実行される。
【００９４】
Ｓ２２：サブ基板２０は、実行するランプデータを確認する。
ランプデータがどのようなデータを含んでいるか、確認する。
【００９５】
Ｓ２３：サブ基板２０は、無限ループのデータがあるかどうか判定する。
無限ループのデータがあるときは、タイマー短縮フラグをセットすることなく本処理を終了する。このように処理する理由は後述する（図１２（ｅ）及びその説明参照）。
【００９６】
図７（ｂ）において最後のデータ（ＥＮＤ）は無限ループであるので、Ｓ２３でＹＥＳとなる。図６（ａ）（ｂ）と図７（ａ）では、（Ｎ−１）番目のデータがＬＯＯＰデータであるが、その繰り返し回数は１０回で無限ループではないので、Ｓ２３でＮＯとなる。
【００９７】
なお、ランプデータにＬＯＯＰデータが存在しないことが予めわかっている場合には、Ｓ２３の処理はなくてもよい。
【００９８】
Ｓ２４：サブ基板２０は、最後のデータが全消灯のデータであるかどうか判定する。
最後のデータが全消灯のデータでないときは（ＮＯ）、タイマー短縮フラグをセットすることなく本処理を終了する。このように処理する理由は後述する（図１２（ｄ）及びその説明参照）。
【００９９】
図７（ａ）において最後のデータ（ＥＮＤ）は全部点灯（全点灯）であるので、Ｓ２４でＹＥＳとなる。図６（ａ）（ｂ）は最後のデータが全部消灯であるので、Ｓ２４でＮＯとなる。
【０１００】
Ｓ２５：Ｓ２３でＮＯであり、かつ、Ｓ２４でＹＥＳであるとき、サブ基板２０はタイマー短縮フラグをセットする。
このＳ２５の処理の後に、図５（ｂ）のＳ１４が実行され、ＬＥＤ基板２０２へランプデータ及びタイマー短縮フラグが送られる。
【０１０１】
なお、図８の「Ｓ２４：最後のデータが全消灯？」に代えて、図９のように「Ｓ２４ｂ：最後のデータの点灯数が閾値より小さい？」を判定するようにしてもよい。図８のＳ２４は、最後のデータが全点灯であると却って消費電力が増加することから、そのような場合にタイマー短縮フラグをセットしないようにするためのものである（図１２（ｄ）及びその説明参照）。
【０１０２】
タイマー短縮フラグのセットにより消費電力が増えるかどうかは、個々のランプデータの内容による。例えば、最後のデータが５個の発光素子のうち４個を点灯させるものであるが、当該ランプデータによる点灯個数の平均値が３個であれば、タイマー短縮フラグのセットにより４個の発光素子を点灯させ続けることは却って消費電力の増加を招くが、当該ランプデータによる点灯個数の平均値が４個よりも多ければ消費電力を下げることができる。このように節電できるかどうかはケースバイケースなので、Ｓ２４の判定基準は可変であることが好ましい。
【０１０３】
そこで、点灯割合というパラメータを導入し、これを予め定めた閾値を比較することで判定を行うようにしてもよい（図９のＳ２４ｂ）。
【０１０４】
点灯割合は、制御対象である電飾装置の発光素子の総数のうちで点灯するものの割合である。例えば、５個の発光素子のうち４個を点灯させるデータの点灯割合は８０％である。全点灯の点灯割合は１００％である。
【０１０５】
閾値は、点灯割合に対応付けて定める。ランプデータによる点灯個数の点灯割合の平均値が８０％であるならば、閾値をこれよりも小さな値、例えば６０％とすることで消費電力を下げることができる。なお、図９のＳ２４ｂで閾値＝１００％とすると、その処理結果は図８のＳ２４と同じになる（全点灯の点灯割合は１００％であるため）。
【０１０６】
図１０は、発明の実施の形態に係るランプデータ実行処理のフローチャートである。
【０１０７】
Ｓ３０：ＬＥＤ基板２０２は、タイマー短縮フラグがオンであるかどうか判定する。
オンであるとき、Ｓ３１の処理を行う。
【０１０８】
Ｓ３１：ＬＥＤ基板２０２は、ランプデータのタイマー短縮処理を行う。
例えば、発光素子の点灯時間を１／Ｍ（Ｍは２以上の整数）にする。図６（ａ）のデータＮｏ．１の１００ｍｓを１／Ｍにし、同図（ｂ）の同じく１０単位を１／Ｍにする。あるいは何％か短縮する。例えば、係数ｋを予め定めておき（０＜ｋ＜１）、点灯時間に係数ｋを乗じる。
【０１０９】
図６（ｂ）のように点灯時間を所定単位で表しているときは、その基準となる時間を短くするようにしてもよい。（基準となる時間）を１／Ｍにする。あるいは、（基準となる時間）に係数ｋを乗じる。
【０１１０】
短縮処理のための構成については、後に説明を加える。
【０１１１】
Ｓ３２：ＬＥＤ基板２０２は、ランプデータに基づき発光素子を点灯制御する。
点灯制御は、発光させることとともに、発光させたものを消灯させることも含む（以下同じ）。
【０１１２】
Ｓ３２の処理については、図１１のフローチャートを参照して詳しく説明を加える。なお、図１１の処理は、タイマー短縮処理の有無によらず同じである（同短縮処理は図１０のＳ３１で実行されるため）。
【０１１３】
Ｓ４０：ＬＥＤ基板２０２は、受けたランプデータの各データを順番に解釈する。
解釈対象であるデータがループデータか、これ以外のデータか、点灯状態はどのようであるか、点灯時間はいくらか、最後のデータであるかどうかを把握する。
【０１１４】
Ｓ４１：ＬＥＤ基板２０２は、当該データがループデータ（ＬＯＯＰ）であるか判定する。
ループデータであるときＳ４２とＳ４３を実行し、そうでないときＳ４４以降の処理を実行する。
【０１１５】
Ｓ４２：ＬＥＤ基板２０２は、当該データがループデータ（ＬＯＯＰ）であるとき、指定された範囲のデータに基づき発光素子を次々に点灯させる。図６（ａ）（ｂ）の例であれば、データＮｏ．３（半分点灯）、・・・、Ｎｏ．（Ｎ−２）（全部消灯）を順番に実行する。
Ｓ４３：ＬＥＤ基板２０２は、ループデータの繰り返し回数だけ処理を完了していないとき、又は当該ループデータが無限ループであるとき（図７（ｂ）の最後のデータ）、Ｓ４２の処理を繰り返す。
【０１１６】
ループを完了したらＳ４０に戻り、次のデータを解釈する。
【０１１７】
Ｓ４４：ＬＥＤ基板２０２は、当該データが最後のデータ（ＥＮＤ）であるか判定する。
最後のデータでなければ、当該データの内容に従って指定の発光素子を指定の時間点灯させるように、電飾装置ＤＳへ制御データ又は駆動信号を出力する（Ｓ４５）。
【０１１８】
最後のデータであれば、当該データの内容に従って指定の発光素子を点灯制御させるように、電飾装置ＤＳへ制御データ又は駆動信号を出力する（Ｓ４６）。
【０１１９】
Ｓ４７：ＬＥＤ基板２０２は、Ｓ４６による点灯制御の状態を維持する。
【０１２０】
以上の処理による電飾装置ＤＳの発光素子の点灯状態について、図１２のタイミングチャートを参照して説明を加える。
【０１２１】
図１２（ａ）は、タイマー短縮フラグがオフである非短縮状態のタイミングチャートである。点灯時間は予め定められた時間である。例えば、コマンドを受けて図６（ａ）のランプデータがサブ基板２０からＬＥＤ基板２０２へ送られ、データＮｏ．１で点灯、１００ｍｓ、同Ｎｏ．２で全部消灯、５０ｍｓ、同Ｎｏ．３で半分点灯、１００ｍｓ、・・・のように発光素子が制御され（図１１のＳ４０、Ｓ４１、Ｓ４４でＮＯ）、最後のデータＥＮＤが時刻ｔ２で実行される（同Ｓ４４でＹＥＳ）。最後のデータＥＮＤは全部消灯なので、この状態が次のコマンドによるランプデータの処理開始（時刻ｔ２）まで継続する（同Ｓ４６、Ｓ４７）。
【０１２２】
図７（ａ）（ｂ）についても同様であるが、図７（ａ）の最後のデータＥＮＤは全部点灯であり、図７（ｂ）は無限ループを含むので、常に図１２（ａ）の非短縮状態となる。
【０１２３】
図１２（ｂ）は、タイマー短縮フラグがオンである短縮状態のタイミングチャートである。図６（ａ）のランプデータは、無限ループのデータを含まず（図８のＳ２３でＮＯ）、かつ、最後のデータが全消灯である（同Ｓ２４でＹＥＳ）ので、節電モードのときにタイマー短縮フラグがセットされる（同Ｓ２５）。ＬＥＤ基板２０２でタイマー短縮処理がなされる（図１０のＳ３１）。例えば、半分（＝１／２）に短縮されるとして、図６（ａ）のランプデータによれば、データＮｏ．１で点灯、５０ｍｓ、同Ｎｏ．２で全部消灯、２５ｍｓ、同Ｎｏ．３で半分点灯、５０ｍｓ、・・・のように、図１２（ａ）の半分の時間で発光素子が制御される（図１１のＳ４０、Ｓ４１、Ｓ４４でＮＯ）。したがって、最後のデータＥＮＤが半分の時間に対応する時刻ｔ３で実行される（同Ｓ４４でＹＥＳ）。時刻ｔ０からｔ３までの時間は、時刻ｔ０からｔ１までの時間の半分である。最後のデータＥＮＤの全部消灯の状態が次のコマンドによるランプデータの処理開始（時刻ｔ２）まで継続する。
【０１２４】
図１２（ａ）と図１２（ｂ）を比較するとわかるように、非短縮状態と比べて短縮状態では時刻ｔ３からｔ１の時間だけ最後の状態が長くなっている。この最後の状態は全消灯であり消費電力がほぼゼロとなっている。したがって、非短縮状態と比べて短縮状態では消費電力が小さくなっている。このことは、図９のＳ２４ｂの処理を適切な閾値の下で行った場合も同様である。
【０１２５】
図１２（ｃ）は比較例である。これは、コマンドを受けてから、図１２（ｂ）の時刻ｔ１からｔ３の時間に相当する時間を待機（全消灯）し、その後、図１２（ｂ）と同じように処理した例を示す。消費電力の点で図１２（ｂ）と（ｃ）は同じであるが、発光素子の点滅、つまり電飾装置ＤＳによる演出の開始タイミングが異なっている。図１２（ｃ）では待機しているので、液晶表示装置ＬＣＤにおける演出に比べて遅れることになる。もし時刻ｔ０において液晶表装置ＬＣＤで演出が開始されるように、液晶表装置ＬＣＤと電飾装置ＤＳとで演出の同期が取られている場合には、異なるデバイスによる演出間の同期が失われ、遊技者は演出に違和感を持つようになるので好ましくない。図１２（ｂ）のように短縮状態の点滅（演出）の開始タイミングは、図１２（ａ）の非短縮状態の場合と同じようにするべきである。
【０１２６】
図１２（ｄ）は、最後のデータが全点灯又は閾値よりも高い点灯割合のときに短縮しないことのメリットを説明するための比較例である。仮にこのケース（図７（ａ））において図１２（ｂ）と同じように短縮したとすると、時刻ｔ３からｔ１にかけて最後のデータによる状態が維持されることになる。この期間は全点灯又は閾値よりも高い（つまり時刻ｔ０からｔ３の間のよりも高い）点灯割合であるから、その消費電力は図１２（ａ）の非短縮状態に比べて高くなる。したがって、最後のデータが全点灯又は閾値よりも高い点灯割合のときに短縮を行うと却って節電にならない。そこで、図８のＳ２４、図９のＳ２４ｂによりそのようなケースについてはタイマー短縮フラグをセットしないようにしている。
【０１２７】
図１２（ｅ）は、無限ループのデータが存在するとき（図７（ｂ））に短縮しないことの説明図である。無限ループのデータがあるということは、次のコマンドを受けるまでの間、図１２（ｅ）の時刻ｔ０からｔ２までの間は、ずっと点滅を繰り返していなければならないことを意味する。この間は全消灯、全点灯などが続くような固定的な状態になることはない。これは演出上の要請によるものであり、節電モードにおいてもずっと点滅していなければならない。点滅を繰り返しているときに、その変化の間隔を短くしても消灯の時間が長くなることはなく、消費電力が小さくなることはない。このように無限ループのデータが存在するときに短縮しても節電効果はなく処理が複雑になるだけなので、そのようなケースについてはタイマー短縮フラグをセットしないようにしている。
【０１２８】
図１３乃至図１５を参照して、タイマー短縮処理について説明を加える。
【０１２９】
図１３は、タイマーの出力信号を短縮することで短縮状態を実現するものである。
【０１３０】
２０２１は、受けたランプデータの各データを順番に解釈するランプデータ解釈部である。このランプデータは、図６（ｂ）のように基準信号を単位とするものである。
【０１３１】
２０２２は、発光素子の点灯時間を定めるための基準信号を出力するタイマーである。
【０１３２】
２０２２は、タイマー短縮フラグがオンのときにタイマー２０２２の基準信号を短縮するタイマー短縮部である。例えば、基準信号が、１０ｍｓごとに出力されるパルスであるとき、これを１／２（Ｍ＝２）に短縮するときは、５ｍｓごとに出力させる。
【０１３３】
２０２４は、タンプデータ解釈部２０２１からのどの発光素子を点灯させるか、その点灯時間はいくらかに基づき発光素子を点灯させる駆動回路である。駆動回路２０２４の動作は、非短縮状態／短縮状態のいずれでも変わらない。例えば、１０回基準信号を受けるまで点灯状態を継続するものであるとき、非短縮状態では１００ｍｓ、短縮状態では５０ｍｓの間点灯するものである。
【０１３４】
したがって、図１３の装置は、タイマー短縮フラグがオンのときに点灯時間を短縮（半分に）することができる。
【０１３５】
図１４は、非短縮状態用のタイマー２０２２−１と短縮状態用のタイマー２０２２−２を備え、タイマー短縮フラグがオン／オフに応じて、短縮状態用のタイマー２０２２−２、非短縮状態用のタイマー２０２２−１のいずれかを選択する選択部２０２５を備えるものを示す。
【０１３６】
非短縮状態用のタイマー２０２２−１は例えば１０ｍｓの基準信号を出力し、短縮状態用のタイマー２０２２−２は例えば５ｍｓの基準信号を出力する。
【０１３７】
タイマー２０２２−１，２０２２−２の基準信号の出力が上記のように設定されているので、図１４の装置は、図１３の装置と同じ動作を行う。
【０１３８】
図１５は、図１３及び図１４とは異なり、タイマー２０２２の基準信号を調整する代わりに、解釈された点灯時間を短縮するものである。
【０１３９】
２０２６は、タイマー短縮フラグがオンのときにランプデータ解釈部２０２１が出力する点灯時間を短縮する時間短縮部である。時間短縮部２０２６は、タイマー短縮フラグがオフのときは何もせず、ランプデータ解釈部２０２１が出力する点灯時間をそのまま駆動回路２０２４へ送る。
【０１４０】
時間短縮部２０２６は、例えば点灯時間を１／２（Ｍ＝２）に短縮するとき、図６（ａ）のデータＮｏ．１の点灯時間を１００ｍｓから５０ｍｓに変更する。
【０１４１】
以上の処理により、図１５の装置は、図１３及び図１４の装置と同じ動作を行う。
【０１４２】
発明の実施の形態によれば、節電モードにおいて、電飾装置の発光素子の点灯区間を短縮するので、その消費電力を少なくすることができ、節電を実現することができる。発明の実施の形態は遊技中であっても適用でき、電飾装置の報知機能を維持しつつ消費電力を抑制することのできる。
【０１４３】
また、発明の実施の形態によれば、共通のランプデータを使用しつつ、タイマー短縮フラグのオン／オフで点灯区間の短縮を行うかどうか制御するので、節電モード用のランプデータを作成し記憶する必要がない。このためデータ作成の手間が省けるとともに、節電用のランプデータを記憶するためのメモリ容量を確保する必要がなく、遊技機のハードウエアに対する負担を少なくすることができる。
【０１４４】
以上の説明において、スロットマシンを例に挙げたが、本発明の実施の形態はパチンコ機のような遊技機にも適用することができる。
【０１４５】
本発明は、以上の実施の形態に限定されることなく、特許請求の範囲に記載された発明の範囲内で、種々の変更が可能であり、それらも本発明の範囲内に包含されるものであることは言うまでもない。
【符号の説明】
【０１４６】
１０    メイン基板
２０    サブ基板
２０２    ＬＥＤ基板（電飾制御基板）
２０２１  ランプデータ解釈部
２０２２  タイマー
２０２２−１  第１タイマー
２０２２−２  第２タイマー
２０２３  タイマー短縮部
２０２４  駆動回路
２０２５  選択部
２０２６  時間短縮部
ＤＳ    電飾装置
【図１】
2014104006.tif 000003
【図２】
2014104006.tif 000004
【図３】
2014104006.tif 000005
【図４】
2014104006.tif 000006
【図５】
2014104006.tif 000007
【図６】
2014104006.tif 000008
【図７】
2014104006.tif 000009
【図８】
2014104006.tif 000010
【図９】
2014104006.tif 000011
【図１０】
2014104006.tif 000012
【図１１】
2014104006.tif 000013
【図１２】
2014104006.tif 000014
【図１３】
2014104006.tif 000015
【図１４】
2014104006.tif 000016
【図１５】
2014104006.tif 000017